(57)【特許請求の範囲】
【請求項１】
インクタンクからインクジェットヘッドにインク液を供給するインク経路後端に、該インク経路を通過したインク液をインク室に一時的に溜めて、そのインク室に一時的に溜められたインク液により前記インク経路内を通過したインク液に発生した動圧変化を吸収するダンパーが備えられたインクジェットプリンタにおいて、
前記インク室に一時的に溜められたインク液を加熱して、そのインク液の粘度を低下させる加熱手段が備えられ、当該加熱手段が、前記インク室に一時的に溜められたインク液を、そのインク室と隔壁を介して当該インク室の一方側のみに付設される温水室を循環させる温水により加熱するものであることを特徴とするインクジェットプリンタ。
【請求項２】
前記加熱手段が、前記インク室に一時的に溜められたインク液に加えて、前記インク室周囲に配設された前記インク経路から流入するインク液の流通路内を通過するインク液を、その流通路とダンパー機構部及び隔壁を介して隣合わせて設けられた温水室内を循環させる温水により加熱するものであることを特徴とする請求項１記載のインクジェットプリンタ。
【請求項３】
前記加熱手段が、前記インク室に一時的に溜められたインク液に加えて、前記温水室内に配設された前記インク経路から流入するインク液の循環路内を通過するインク液を、その循環路の側壁を介して接する温水室内を循環させる温水により加熱するものであることを特徴とする請求項１記載のインクジェットプリンタ。
【請求項４】
前記温水室内を循環させる温水を生成する温水生成装置であって、
温水生成用の水を溜める水槽と、
その水槽は、一定間隔づつ開けて重力方向である垂直方向に起立させて、並べて配置された複数枚の仕切り板を有し、
該複数の仕切り板は、その隣り合う一方の仕切り板の下端が前記水槽の内底面よりも前記垂直方向の上方に位置し、その一方の仕切り板に隣り合う他方の仕切り板の上端が、前記水槽の上端開口縁よりも前記垂直方向の下方に位置するように、前記水槽の水槽内に交互に上下にずらして配置されることにより、前記温水生成用の水が、前記垂直方向の上下に移動しながら該垂直方向に直交する水平方向に対し前記水槽内の一方の側から他方の側へ通過するとともに、
前記垂直方向の上下に移動しながら該垂直方向に直交する水平方向に対し前記水槽の前記一方の側から前記他方の側へ通過する前記温水生成用の水を、前記垂直方向の上下両側から挟むようにして加熱する板状ヒータを有していることを特徴とする請求項１、２又は３記載のインクジェットプリンタ用の温水生成装置。
【請求項５】
前記水槽の周壁が、断熱材で覆われたことを特徴とする請求項４記載のインクジェットプリンタ用の温水生成装置。
【発明の詳細な説明】
【技術分野】
【０００１】
本発明は、インクタンクからインクジェットヘッドにインク液を供給するフレキシブルチューブ等からなるインク経路を持つインクジェットプリンタと、該プリンタに使用される温水生成装置に関する。
【背景技術】
【０００２】
屋外広告、ポスター等の大画面をプリントするインクジェットプリンタは、図９に示したように、その大画面プリント用の樹脂シート等のメディア（記録媒体）１０の幅に合わせて、そのメディア１０を搭載するプラテン２０の横幅（Ｙ方向の幅）も、１メートルないし数メートルと長い。従って、そのプラテン２０上に搭載されたメディア１０上方を、Ｙ方向（幅方向に当たる横方向）に走行させるインクジェットヘッド３０も、１メートルないし数メートルの長い距離を左右に往復移動させることになる。また、大画面プリント用のインクジェットプリンタにおいては、大量のインク液をインクジェットヘッド３０に供給し続ける必要がある。そのため、このような大型のインクジェットプリンタにおいては、プリンタ本体脇部に、大量のインク液４０を溜めたインクタンク５０を設けている。そして、そのタンク５０内のインク液を、長いインク経路６０を通して、インクジェットヘッド３０に供給する構造をしている。インク経路６０は、可撓性のある柔軟なフレキシブルチューブ等を用いて形成されていて、そのインク経路６０が、インクジェットプリンタのＹ方向の円滑な走行を妨害するのが防止されている。
【０００３】
このような大型のインクジェットプリンタにおいては、そのインクタンク５０内のインク液４０をインクジェットヘッド３０に供給するインク経路６０後端に、インク経路６０を通過したインク液を一時的に溜めるインク室（図示せず）を持つダンパー７０が備えられている。そして、そのダンパー７０が、インク経路６０内を通過したインク液４０に発生した動圧の変化を吸収する構造をしている。そして、その動圧変化が除去されたインク液４０がインクジェットヘッド３０に安定供給し続けられる構造をしている。ダンパー７０は、インクジェットヘッド３０に付設されていて、インクジェットヘッド３０と一体にＹ方向に往復移動する構造をしている。
このように、インク経路６０内を通過するインク液４０に動圧の変化が生ずる理由は、大型のインクジェットプリンタにおいては、上記のように、インクジェットヘッド３０を１メートルないし数メートルもの長い距離をＹ方向に繰り返し高速で往復移動させるからである。そして、その際には、そのＹ方向に長い距離を高速で往復移動させるインクジェットヘッド３０とインクタンク５０内とを繋いでいるフレキシブルチューブ等からなるインク経路６０内を移送されるインク液４０にＹ方向の正逆の大きな慣性力が繰り返し働くからである。そして、そのインク経路６０内を通過するインク液４０の動圧が、大小に大きく変化するからである。そのため、その動圧が大小に大きく変化するインク経路６０内を通過したインク液４０をインクジェットヘッド３０にそのまま供給し続けると、そのインク液４０の動圧の変化に妨害されて、そのインク液４０をインクジェットヘッド３０に一定量づつ安定供給し続けることができないからである。その結果、そのインクジェットヘッド３０のインク吐出口（図示せず）からインク液滴を、一定量づつ安定させて円滑に噴射させることができないからである。
【０００４】
ところで、上記のような、大型のインクジェットプリンタのインク液には、近時、溶剤インクや紫外線硬化型のいわゆるＵＶインクが多く用いられるようになっている。その理由は、溶剤インクは、皮革類、金属板、布等の様々の種類のメディアに、画像を、アンダーコート層等の下地層を形成することなく、そのままダイレクトに鮮明に定着プリントできるからである。また、ＵＶインクは、耐水性、耐候性に優れていて、屋外広告やポスター用のメディアに画像をプリントするのに、最適だからである。
【特許文献１】特開２００４−３５８７６９号公報
【発明の開示】
【発明が解決しようとする課題】
【０００５】
しかしながら、上記の溶剤インクやＵＶインクは、常温では、その粘度が高く、それらの溶剤インクやＵＶインクを、常温状態のまま、インクジェットヘッドに並ぶ細径のインク吐出口から噴射させると、その粘度の高いインク液が、その細径のインク吐出口に詰まる等して、そのインク吐出口からインク液滴を一定量づつ安定させて確実かつ円滑に噴射させることができない。その結果、そのヘッドに並ぶインク吐出口から噴射させるインク液滴の量が不足気味となって、そのインク液滴によりメディアに形成されるインクのドット径が、所望値よりも小さくなってしまう。そして、そのメディアにプリントされる画像の品質が低下してしまう。
【０００６】
そこで、本発明者らは、鋭意研究の結果、このような常温状態では粘度の高い溶剤インクやＵＶインク等のインク使用のプリンタの難点を解消するためには、そのインクタンクからインクジェットヘッドにインク液を供給するインク経路後端に備えられたダンパーのインク室に一時的に溜められたインク液を加熱手段により加熱すれば良いことに、想到した。即ち、そのようにすれば、そのダンパーのインク室内に一時的に溜められたインク液を加熱して、その粘度を低下させた後、その粘度の低下したインク液を、インクジェットヘッドに供給できることに、想到した。そして、その加熱されて粘度の低下したインク液滴を、ヘッドに並ぶ細径のインク吐出口から一定量づつ安定させて確実かつ円滑に噴射させることができることに、想到した。
そして、そのようなアイデアを取り入れた、常温状態では粘度の高い溶剤インクやＵＶインク等のインク使用のインクジェットプリンタを開発した。
【０００７】
即ち、本発明は、常温状態等の低温状態では粘度の高い溶剤インクやＵＶインク等のインク液滴を、インクジェットヘッドに並ぶ細径のインク吐出口から一定量づつ安定させて確実かつ円滑に噴射させることのできる、低温状態では粘度の高いインク使用のインクジェットプリンタ（以下、プリンタという）を提供することを目的としている。
【課題を解決するための手段】
【０００８】
このような目的を達成するために、本発明のプリンタは、インクタンクからインクジェットヘッドにインク液を供給するインク経路後端に、該インク経路を通過したインク液をインク室に一時的に溜めて、そのインク室に一時的に溜められたインク液により前記インク経路内を通過したインク液に発生した動圧変化を吸収するダンパーが備えられたプリンタにおいて、
前記インク室に一時的に溜められたインク液を加熱して、そのインク液の粘度を低下させる加熱手段が備えられ、当該加熱手段が、前記インク室に一時的に溜められたインク液を、そのインク室と隔壁を介して当該インク室の一方側のみに付設される温水室を循環させる温水により加熱するものであることを特徴としている。
【０００９】
このような構成のプリンタにおいては、そのインク経路を通過してインク室に一時的に溜められた溶剤インクやＵＶインク等のインク液を加熱して、温水室内を循環させる熱容量の大きい温水により、その温水室と隔壁を介して隣合うインク室内に一時的に溜められたインク液を、一定温度に安定して加熱し続けることができる。そして、その一定温度に安定させて加熱されて粘度の低下したインク室内のインク液を、インクジェットヘッドに供給できる。
【００１０】
本発明のプリンタにおいては、前記加熱手段が、前記インク室に一時的に溜められたインク液に加えて、前記インク室周囲に配設された前記インク経路から流入するインク液の流通路内を通過するインク液を、その流通路とダンパー機構部及び隔壁を介して隣合わせて設けられた温水室内を循環させる温水により加熱するものであっても良い。
そうした場合には、温水室と隔壁を介して隣合うインク室内に一時的に溜められたインク液に加えて、インク室周囲に配設されたインク経路から流入するインク液の流通路内を通過するインク液をも、それらのインク室や流通路とダンパー機構部や隔壁を介して隣合う温水内を循環する熱容量の大きい温水により一定温度に安定して加熱できる。そして、それらのインク液の流通路内とインク室内を順に通過して一定温度に安定して確実に加熱されて粘度の低下したインク液を、インクジェットヘッドに供給できる。
【００１１】
本発明のプリンタにおいては、前記加熱手段が、前記インク室内に一時的に溜められたインク液に加えて、前記温水室内に配設された前記インク経路から流入するインク液の循環路内を通過するインク液を、その循環路の側壁を介して接する温水室内を循環させる温水により加熱するものであることが好ましい。
そうした場合には、温水室と隔壁を介して隣合うインク室内に一時的に溜められたインク液に加えて、温水室内に配設されたインク液の循環路内を通過するインク液をも、それらのインク室やインク液の循環路と隔壁や側壁を介して隣合ったり接したりした温水内を循環する熱容量の大きい温水により一定温度に安定して加熱できる。そして、それらのインク液の循環路内とインク室内を順に通過して一定温度に安定して確実に加熱されて粘度の低下したインク液を、インクジェットヘッドに供給できる。
【００１２】
本発明のプリンタにおいて、前記温水室内を循環させる温水を生成する温水生成装置は、温水生成用の水を溜める水槽と、その水槽は、一定間隔づつ開けて重力方向である垂直方向に起立させて、並べて配置された複数枚の仕切り板を有し、該複数の仕切り板は、その隣り合う一方の仕切り板の下端が前記水槽の内底面よりも前記垂直方向の上方に位置し、その一方の仕切り板に隣り合う他方の仕切り板の上端が、水槽の上端開口縁よりも垂直方向の下方に位置するように、水槽の水槽内に交互に上下にずらして配置されることにより、温水生成用の水が、垂直方向の上下に移動しながら垂直方向に直交する水平方向に対し前記水槽内の一方の側から他方の側へ通過するようにする。それとともに、垂直方向の上下に移動しながら垂直方向に直交する水平方向に対し水槽の一方の側から他方の側へ通過する温水生成用の水を、垂直方向の上下両側から挟むようにして加熱する板状ヒータを有していることが好ましい。
そのような構成の温水生成装置においては、水槽内の温水生成用の水を、水槽内に並べて配設された複数枚の仕切り板により、水槽内の一方の側から他方の側へと通過させることができる。そして、その水槽内の一方の側から他方の側へと通過させる温水を生成する水を、その両側から挟むようにして配置された板状ヒータにより、満遍なくかつ効率良く一定温度に安定して加熱することができる。
【００１３】
この温水生成装置においては、前記水槽の周壁が、断熱材で覆われた構造とすることが好ましい。
そうした場合には、その板状ヒータにより一定温度に加熱された水槽内の水が、水槽の周壁を通して外気中に無駄に放散されるのを防ぐことができる。そして、その水槽内の温水生成用の水の温度が、一定温度に安定して保たれずに、低下するのを、防ぐことができる。
【発明の効果】
【００１５】
以上説明したように、本発明のプリンタによれば、そのダンパーのインク室内に一時的に溜められたインク液やインク液の流通路内やインク液の循環路内を通過するインク液を、温水室内を循環する熱容量の大きい温水により、一定温度に安定させて確実に加熱できる。そして、その一定温度に安定して加熱されて粘度の低下したインク液を、インクジェットヘッドに供給できる。そして、その一定温度に加熱されて粘度の低下したインク液滴を、インクジェットヘッドに並ぶ細径のインク吐出口から一定量づつ安定させて確実かつ円滑に噴射させることが、可能となる。
本発明のプリンタ用の温水生成装置によれば、その水槽内を循環させる温水生成用の水を、板状ヒータにより、一定温度に安定させて満遍なく確実に効率よく迅速に加熱できる。そして、その一定温度に安定して確実に加熱された水、即ち温水を、温水室内に供給できる。
【発明を実施するための最良の形態】
【００１６】
図１ないし図３は本発明のプリンタの好適な実施の形態を示し、図１はそのインク室の断面図、図２はその温水室の断面図、図３はその隣合わせて並ぶインク室と温水室の側面断面図である。以下に、このプリンタを説明する。
【００１７】
このプリンタは、図９に示されたプリンタと同様に、インクタンク５０内のインク液４０を、可撓性のある柔軟な長いフレキシブルチューブからなるインク経路６０内を通して、インクジェットヘッド３０に供給する構造をしている。インク経路６０後端には、インク液４０を一時的に溜めるインク室８０を持つダンパー７０が備えられている。ダンパー７０は、インクジェットヘッド３０に付設されていて、インクジェットヘッド３０と一体にＹ方向に移動する構造をしている。そして、インクジェットヘッド３０をＹ方向に往復移動させた際に、そのヘッド３０とインクタンク５０内とを繋ぐ、上記フレキシブルチューブからなるインク経路６０内を通過するインク液４０に加わる慣性力（動圧）の変化を、そのインク経路６０を通過したインク液をダンパーのインク室８０に一時的に溜めた状態として、そのインク室８０を持つダンパー７０により吸収する構造をしている。インク室出口８４は、インクジェットヘッド３０のインク液導入口（図示せず）に連結されている。
【００１８】
以上の構成は、既述従来のプリンタと同様であるが、このプリンタにおいては、そのダンパーのインク室８０に一時的に溜められたインク液４０を加熱して、そのインク液４０の粘度を低下させる加熱手段９０が備えられている。
そして、そのインク室８０に一時的に溜められた常温状態では粘度の高い溶剤インクやＵＶインク等のインク液４０が、加熱手段９０により加熱されて、そのインク液４０の粘度が低下する構造をしている。そして、その加熱されて粘度の低下したインク液４０が、インクジェットヘッド３０に供給される構造をしている。
【００１９】
加熱手段９０は、図２と図３に示されたように、ダンパーのインク室８０に一時的に溜められたインク液４０を、そのインク室８０と隔壁７２を介して隣合わせて設けられた温水室１００内を循環させる温水１１０により加熱する構造をしている。温水室１００は、その温水導入口１０２から導入された温水１１０が、温水室１００内をその下方から上方へと循環した後、その温水排出口１０４から温水室１００外部に排出される構造をしている。温水室１００は、インク室８０に隣合わせてダンパー７０に一体に付設されている。
そして、その温水室１００内を循環する熱容量の大きい温水１１０により、その温水室１００と隔壁７２を介して隣合うインク室８０内に一時的に溜められたインク液４０が、一定温度に加熱し続けられる構造をしている。そして、その一定温度に加熱されて粘度の低下したインク室８０内のインク液４０が、インクジェットヘッド３０に供給される構造をしている。ダンパー機構部７４は、温水室内の温水１１０中から熱が外気中に無駄に放散されるのを防ぐために、熱が伝わりにくい熱伝導性の悪い素材で形成されている。また、ダンパー機構部７４は、それが付設されたインクジェットヘッド３０の重量が増すのを防ぐために、軽量素材で形成されている。他方、隔壁７２は、温水室内の温水１１０によりインク室内のインク液４０が効率よく加熱されるように、熱伝導性の良い素材で形成されている。
【００２０】
図４は本発明のプリンタの他の好適な実施の形態を示し、図４はその構造説明図である。以下に、このプリンタを説明する。
【００２１】
このプリンタにおいては、加熱手段９０が、ダンパーのインク室８０に一時的に溜められたインク液４０に加えて、ダンパーのインク室８０周囲のダンパー機構部７４部分に配設されたインク経路６０から流入するインク液の流通路６２内を通過するインク液４０が、そのインク液の流通路６２とダンパー機構部７４及び隔壁７２を介して隣合わせて設けられた温水室１００内を循環させる温水１１０により加熱される構造をしている。インク液の流通路６２は、インク室８０周囲のダンパー機構部７４部分に逆Ｕ字状等に一体に長く配設されている。そして、そのインク液の流通路６２とその周囲のダンパー機構部７４部分との接触面積の増大化が図られている。そして、そのインク液の流通路６２内を通過するインク液４０が、ダンパー機構部７４及び隔壁７２を介して隣合う温水室１００内を循環する温水１１０により効率よく加熱される構造をしている。インク液の流通路６２の入口は、インク経路６０後端に連結されている。インク液の流通路６２の出口は、インク室８０のインク液導入口に連なっている。
そして、その温水室１００とダンパー機構部７４及び隔壁７２を介して隣合うインク室８０内に一時的に溜められたインク液４０に加えて、インク室８０周囲のダンパー機構部７４部分に長く配設されたインク経路６０から流入するインク液の流通路６２内を通過するインク液４０が、それらのインク室８０やインク液の流通路６２とダンパー機構部７４や隔壁７２を介して隣合う温水室１００内を循環する熱容量の大きい大量の温水１１０により確実に加熱される構造をしている。そして、それらのインク液の流通路６２内とインク室８０内とを順に通過して一定温度に確実に加熱されて粘度の低下したインク液４０が、インクジェットヘッド３０に供給される構造をしている。
図４に示されたプリンタのその他の部分は、図１ないし図３に示されたプリンタと同様に構成されている。
【００２２】
図５は本発明のプリンタのもう一つの好適な実施の形態を示し、図５はその構造説明図である。以下に、このプリンタを説明する。
【００２３】
このプリンタにおいては、加熱手段９０が、ダンパーのインク室８０内に一時的に溜められたインク液４０に加えて、温水室１００内に配設されたインク経路６０から流入するインク液の循環路６４内を通過するインク液４０が、そのインク液の循環路の側壁６６を介して接する温水室１００内を循環する温水１１０により加熱される構造をしている。インク液の循環路の側壁６６は、熱伝導性の良いステンレス等の金属部材を用いて形成されていて、そのインク液の循環路の側壁６６を通して、インク液の循環路６４内を通過するインク液４０が、温水室１００内を循環する温水１１０により一定温度に効率良く加熱される構造をしている。インク液の循環路の入口６５は、フレキシブルチューブからなるインク経路６０の後端に連結されている。インク液の循環路の出口６７は、インク室８０のインク液導入口に連結されている。
そして、温水室１００と隔壁７２を介して隣合うインク室８０内に一時的に溜められたインク液４０に加えて、その温水室１００内に配設されたインク経路６０から流入するインク液の循環路６４内を通過するインク液４０が、それらのインク室８０やインク液循環路６４と隔壁７２や側壁６６を介して隣合ったり接したりした温水室１００内を循環する温水１１０により確実に加熱される構造をしている。そして、そのインク液の循環路６４とインク室８０内とを順に通過して一定温度に確実に加熱されて粘度の低下したインク液４０が、インクジェットヘッド３０に供給される構造をしている。
図５に示されたプリンタのその他の部分は、図１ないし図３に示されたプリンタと同様に構成されている。
【００２４】
図６ないし図８は本発明のプリンタに用いられる温水生成装置の好適な実施の形態を示し、図６はその概略構造を示す平面断面図、図７はその正面断面図、図８はその側面断面図である。以下に、この温水生成装置を説明する。
【００２５】
この温水室１００内を循環させる温水１１０を生成する温水生成装置は、温水生成用の水１１２を溜める蓋２０３を持つ上端が広く開口したプラスチック製などの箱型の水槽２００を備えている。
水槽２００内には、複数枚（図では、３枚としている）の仕切り板２１０が、一定間隔づつあけて、上下に起立させて、並べて配設されている。複数枚の仕切り板２１０は、図７に示したように、その隣合う一方の仕切り板（図の両端の仕切り板）２１０の下端が、水槽２００内底面よりも上方に位置し、その一方の仕切り板に隣合う他方の仕切り板（図の中央の仕切り板）２１０の上端が、水槽２００の上端開口縁よりも下方に位置するように、水槽２００内に交互に上下にずらせて配置されている。そして、図７に矢印で示したように、その複数枚の仕切り板２１０が並べて配設された水槽２００内を、温水生成用の水１１２が、水槽２００内の一方の側から他方の側へと上下に循環しながら通過する構造をしている。
また、水槽２００内には、左右２枚の板状ヒータ２２０が、その水槽２００内の一方の側から他方の側へと上下に循環しながら通過する温水生成用の水１１２をその両側から挟むように配設されている。そして、その２枚の板状ヒータ２２０により、その水槽２００内を上下に循環する温水生成用の水１１２が効率よく加熱される構造をしている。板状ヒータ２２０には、シーズヒータ等が用いられている。
そして、複数枚の仕切り板２１０が並べて配設された水槽２００内の一方の側から他方の側へと上下に循環しながら通過する温水生成用の水１１２が、その両側から挟むように配設された板状ヒータ２２０により、一定温度に満遍なく安定して加熱される構造をしている。
温水生成用の水１１２は、図６に示したように、水槽２００内に、その水供給口２０２を通して、供給されて、水槽２００内を循環し、温水１１０となった後、水槽２００内から、その排出口２０４を通して、ダンパー７０に付設された温水室１００内へと送り込まれる構造をしている。温水室１００内へと送り込まれた温水１１０は、その温水室１００内を循環した後、再び、水槽２００内へと戻されて、その温水１１０が、温水生成用の水１１２に再利用される構造をしている。温水生成用の水１１２は、液体圧送ポンプ２０６を用いて、水槽２００内と温水室１００内とに亙って強制循環させる構造をしている。水槽２００中央の上部には、水槽２００内を循環する水１１２の温度を計測する温度センサ２０８が備えられている。温水生成装置の本体である水槽２００は、プリンタ本体の脇部等に置かれて使用される。
【００２６】
さらに、図６ないし図８に示された温水生成装置においては、水槽２００の周壁が、厚い断熱材２０７で連続して覆われている。
そして、その板状ヒータ２２０により一定温度に加熱された水槽内の水１１２が、水槽２００の周壁を通して外気中に無駄に放散されるのが、防止される構造をしている。そして、その水槽内の水１１２の温度が、一定温度に安定して保たれる構造をしている。
【００２７】
図６ないし図８に示した温水生成装置は、以上のように構成されていて、この温水生成装置によれば、水槽２００内に投げ込み式のとぐろ状をした汎用の１Ｋｗヒータを投入して、その水槽２００内の水を加熱した場合に比べて、総計が４１７ｗの２枚の板状シーズヒータ２２０を用いて、その同じ容量の水槽２００内の同じ量の水１１２を同じ温度に加熱した際の最大消費電力を約５８％下げられることが、実験により確認された。
【００２８】
このプリンタにおいて、インク室８０内に一時的に溜められたインク液４０を加熱する加熱手段９０は、インク室８０周囲のダンパー機構部７４に熱風を吹きかけて、その熱風によりインク室８０内のインク液４０を加熱するもの、インク室８０周囲のダンパー機構部７４に電熱ヒータを埋設して、そのヒータによりインク室８０内のインク液４０を加熱するものでも良い。さらには、インク室８０内に一時的に溜められたインク液４０中に投入された電熱ヒータにより、インク室８０内のインク液４０を直接加熱するものであっても、良い。
【産業上の利用可能性】
【００２９】
本発明のプリンタは、インクジェットヘッドをプラテン上方をＹ方向に長い距離往復移動させる大型のプリンタであって、インクタンク内のインクを長いインク経路を通してインクジェットヘッドに供給するプリンタに、広く利用可能である。
また、ロール状に長く巻かれた布地等のメディアに絵図を連続してプリントする、インク使用量の多いプリンタであって、インクタンク内のインクをインク経路を通してインクジェットヘッドに大量に連続供給し続けるプリンタにも、広く利用可能である。
【図面の簡単な説明】
【００３０】
【図１】本発明のプリンタのダンパーのインク室の正面断面図である。
【図２】本発明のプリンタのダンパーの温水室の正面断面図である。
【図３】本発明のプリンタのダンパーの隣合わせて並ぶインク室と温水室周辺の側面断面図である。
【図４】本発明のプリンタのダンパーのインク室周辺の正面断面図である。
【図５】本発明のプリンタのダンパーの温水室周辺の正面断面図である。
【図６】本発明のプリンタに用いられる温水生成装置の概略構造を示す平面断面図である。
【図７】本発明のプリンタに用いられる温水生成装置の正面断面図である。
【図８】本発明のプリンタに用いられる温水生成装置の側面断面図である。
【図９】インクジェットプリンタの概略構造説明図である。
【符号の説明】
【００３１】
１０  メディア
２０  プラテン
３０  インクジェットヘッド
４０  インク液
５０  インクタンク
６０  インク経路
６２  インク液の流通路
６４  インク液の循環路
７０  ダンパー
７２  隔壁
７４  ダンパー機構部
８０  インク室
９０  加熱手段
１００  温水室
１１０  温水
１１２  温水生成用の水
２００  水槽
２０７  断熱材
２１０  仕切り板
２２０  板状ヒータ
【図１】
0004624893.tif 000002
【図２】
0004624893.tif 000003
【図３】
0004624893.tif 000004
【図４】
0004624893.tif 000005
【図５】
0004624893.tif 000006
【図６】
0004624893.tif 000007
【図７】
0004624893.tif 000008
【図８】
0004624893.tif 000009
【図９】
0004624893.tif 000010